(57)【特許請求の範囲】
【請求項１】
リフレクタの一方の側に第１光源を配置すると共に、前記リフレクタの他方の側に第２光源を配置し、
前記リフレクタの一方の側の面および他方の側の面を反射面として利用した灯具において、
前記リフレクタを波形に形成すると共に、前記リフレクタの一方の側の反射面の凹状部分に対向する位置に前記第１光源を配置し、
前記リフレクタの他方の側の反射面の凹状部分に対向する位置に前記第２光源を配置し、
レンズカット付きアウターレンズによって前記リフレクタおよび前記第２光源を覆うと共に、前記アウターレンズと前記第２光源との間にインナーレンズを配置し、
一方の側に進む前記第２光源からの光を反射して他方の側に進む光にするための反射面を前記インナーレンズに形成し、
一方の側に進む前記第２光源からの光のうち、前記インナーレンズが設けられていない場合には前記リフレクタに入射することなく前記リフレクタの一方の側に照射される光が、前記インナーレンズの前記反射面によって反射されて前記リフレクタの他方の側に照射されることを特徴とする灯具。
【発明の詳細な説明】
【技術分野】
【０００１】
本発明は、リフレクタの一方の側の面および他方の側の面を反射面として利用した灯具に関し、特には、リフレクタの肉厚をほぼ均一に維持しつつ、リフレクタの一方の側に配置された光源から放射された光、および、リフレクタの他方の側に配置された光源から放射された光の両方を集光させて配光制御することができる灯具に関する。
【背景技術】
【０００２】
従来から、リフレクタの一方の側の面および他方の側の面を反射面として利用した灯具が知られている。この種の灯具の例としては、例えば特開平１０−２５５５１５号公報に記載されたものがある。
【０００３】
特開平１０−２５５５１５号公報に記載された車両用灯具では、ヘッドランプとフォグランプとが共通のハウジング内に隣り合わせに配置されている。また、ヘッドランプからの光を反射するための反射面を備えたヘッドランプ用リフレクタが設けられている。更に、そのヘッドランプ用リフレクタの裏面が、フォグランプからの光を反射するための反射面として用いられている。
【０００４】
それにより、特開平１０−２５５５１５号公報に記載された車両用灯具では、ヘッドランプ用リフレクタの裏面がフォグランプからの光を反射するための反射面として用いられない場合よりも、フォグランプの照射範囲が側方に広げられている。
【０００５】
ところで、特開平１０−２５５５１５号公報に記載された車両用灯具では、ヘッドランプ用リフレクタのうち、その両面が反射面として利用されている部分の肉厚が、不均一になっている。詳細には、特開平１０−２５５５１５号公報の図１に示すように、ヘッドランプ用リフレクタの両面が反射面として利用されている部分の肉厚が、ヘッドランプおよびフォグランプに近づくほど（特開平１０−２５５５１５号公報の図１の上側ほど）厚くなり、ヘッドランプおよびフォグランプから遠ざかるほど（特開平１０−２５５５１５号公報の図１の下側ほど）薄くなっている。
【０００６】
そのため、特開平１０−２５５５１５号公報に記載された車両用灯具では、ヘッドランプ用リフレクタを成形によって形成しようとすると、成形条件が厳しくなってしまい、その結果、ヘッドランプ用リフレクタの製造コストが嵩んでしまう。
【０００７】
【特許文献１】特開平１０−２５５５１５号公報
【発明の開示】
【発明が解決しようとする課題】
【０００８】
前記問題点に鑑み、本発明は、リフレクタの肉厚をほぼ均一に維持しつつ、リフレクタの一方の側に配置された光源から放射された光、および、リフレクタの他方の側に配置された光源から放射された光の両方を配光制御することができる灯具を提供することを目的とする。
【０００９】
詳細には、本発明は、リフレクタの肉厚をほぼ均一に維持しつつ、リフレクタの一方の側に配置された光源から放射された光、および、リフレクタの他方の側に配置された光源から放射された光の両方を集光させて配光制御することができる灯具を提供することを目的とする。
【課題を解決するための手段】
【００１０】
請求項１に記載の発明によれば、リフレクタの一方の側に第１光源を配置すると共に、前記リフレクタの他方の側に第２光源を配置し、
前記リフレクタの一方の側の面および他方の側の面を反射面として利用した灯具において、
前記リフレクタを波形に形成すると共に、前記リフレクタの一方の側の反射面の凹状部分に対向する位置に前記第１光源を配置し、
前記リフレクタの他方の側の反射面の凹状部分に対向する位置に前記第２光源を配置し、
レンズカット付きアウターレンズによって前記リフレクタおよび前記第２光源を覆うと共に、前記アウターレンズと前記第２光源との間にインナーレンズを配置し、
一方の側に進む前記第２光源からの光を反射して他方の側に進む光にするための反射面を前記インナーレンズに形成し、
一方の側に進む前記第２光源からの光のうち、前記インナーレンズが設けられていない場合には前記リフレクタに入射することなく前記リフレクタの一方の側に照射される光が、前記インナーレンズの前記反射面によって反射されて前記リフレクタの他方の側に照射されることを特徴とする灯具が提供される。
【発明の効果】
【００１２】
請求項１に記載の灯具では、リフレクタが波形に形成されている。また、第１光源が、リフレクタの一方の側の反射面の凹状部分に対向する位置に配置されている。
【００１３】
更に、請求項１に記載の灯具では、第２光源が、リフレクタの一方の側の反射面の凹状部分の裏側に対向する位置に配置されるのではなく、リフレクタの他方の側の反射面の凹状部分に対向する位置に配置されている。つまり、請求項１に記載の灯具では、第１光源の位置から波形の概略半波長分ほどオフセットせしめられた位置に、第２光源が配置されている。
【００１４】
そのため、請求項１に記載の灯具によれば、リフレクタの肉厚をほぼ均一に維持しつつ、第１光源から放射された光および第２光源から放射された光の両方を集光させて配光制御することができる。
【００１５】
請求項１に記載の灯具では、レンズカット付きアウターレンズによってリフレクタおよび第２光源が覆われている。更に、アウターレンズと第２光源との間にインナーレンズが配置されている。
【００１６】
詳細には、請求項１に記載の灯具では、第２光源の消灯時には、アウターレンズのレンズカットによって、アウターレンズの外側からインナーレンズの形状が認識できないようになっている。一方、第２光源の点灯時には、第２光源から放射された光が、インナーレンズによって反射せしめられるか、あるいは、インナーレンズを透過せしめられ、それにより、アウターレンズの外側からインナーレンズの形状が認識できるようになっている。
【００１７】
そのため、請求項１に記載の灯具によれば、第２光源の消灯時と点灯時とで見栄えを異ならせることができる。詳細には、インナーレンズが設けられていない場合よりも、第２光源からの光を強調することができる。
【発明を実施するための最良の形態】
【００１８】
以下、本発明に関連する発明の灯具について説明する。図１は本発明に関連する発明の灯具の斜視図である。図１において、１は基板を示しており、３は基板１を覆うためのエクステンションを示している。４は両面に反射面が形成されたリフレクタを示しており、５はエクステンション３およびリフレクタ４を覆うためのアウターレンズを示している。
【００１９】
図２は図１に示した灯具の平面図である。詳細には、図２は、アウターレンズ５を透視して、図１に示した灯具を図１の上側から見た図である。図３は図２のＡ−Ａ断面図、図４は図２のＢ−Ｂ断面図である。
【００２０】
本発明に関連する発明の灯具では、図１〜図４に示すように（特に、図２に示すように）、例えばＬＥＤのような光源２ａ，２ｃ，２ｅが、リフレクタ４の左側に位置するように基板１上に搭載されている。また、例えばＬＥＤのような光源２ｂ，２ｄが、リフレクタ４の右側に位置するように基板１上に搭載されている。
【００２１】
更に、本発明に関連する発明の灯具では、図２および図３に示すように、光源２ａからの光を通過させるための穴３ａがエクステンション３に形成されている。また、図２および図４に示すように、光源２ｂからの光を通過させるための穴３ｂがエクステンション３に形成されている。同様に、図２に示すように、光源２ｃからの光を通過させるための穴３ｃがエクステンション３に形成され、光源２ｄからの光を通過させるための穴３ｄがエクステンション３に形成され、光源２ｅからの光を通過させるための穴３ｅがエクステンション３に形成されている。
【００２２】
また、本発明に関連する発明の灯具では、図２に示すように、リフレクタ４が波形に形成されている。詳細には、図１、図３および図４に示すように、リフレクタ４の左側の反射面４ａが、多数の小さい区画によって構成され、リフレクタ４の右側の反射面４ｂが、多数の小さい区画によって構成されている。
【００２３】
本発明に関連する発明の灯具では、上述したように、リフレクタ４の左側の反射面４ａが多数の小さい区画によって構成され、リフレクタ４の右側の反射面４ｂが多数の小さい区画によって構成されているが、本発明に関連する他の発明の灯具では、１つまたは少数の面によってリフレクタ４の左側の反射面４ａを形成し、１つまたは少数の面によってリフレクタ４の右側の反射面４ｂを形成することも可能である。
【００２４】
更に、本発明に関連する発明の灯具では、図２に示すように、光源２ａが、リフレクタ４の左側の反射面４ａの凹状部分４ａ１に対向する位置に配置されている。同様に、光源２ｃがリフレクタ４の左側の反射面４ａの凹状部分４ａ２に対向する位置に配置され、光源２ｅがリフレクタ４の左側の反射面４ａの凹状部分４ａ３に対向する位置に配置されている。
【００２５】
一方、光源２ｂは、リフレクタ４の左側の反射面４ａの凹状部分４ａ１の裏側に対向する位置（図２に「２ｂ’」で示す位置）に配置されるのではなく、リフレクタ４の右側の反射面４ｂの凹状部分４ｂ１に対向する位置に配置されている。つまり、本発明に関連する発明の灯具では、光源２ａの位置から波形の概略半波長分ほど図２の上側にオフセットせしめられた位置に、光源２ｂが配置されている。
【００２６】
同様に、光源２ｄは、リフレクタ４の左側の反射面４ａの凹状部分４ａ２の裏側に対向する位置（図２に「２ｄ’」で示す位置）に配置されるのではなく、リフレクタ４の右側の反射面４ｂの凹状部分４ｂ２に対向する位置に配置されている。つまり、本発明に関連する発明の灯具では、光源２ｃの位置から波形の概略半波長分ほど図２の上側にオフセットせしめられた位置に、光源２ｄが配置されている。
【００２７】
また、図３および図４において、５ａはアウターレンズ５の内側表面に形成された微細なレンズカットを示している。
【００２８】
図５〜図７は光源２ａ，２ｂ，２ｃ，２ｄ，２ｅから放射された光の光路を示した図である。詳細には、図５は水平面内における光源２ａ，２ｂ，２ｃ，２ｄ，２ｅから放射された光の光路を示した図である。更に詳細には、図５（Ａ）は光源２ａ，２ｂ，２ｃ，２ｄ，２ｅから放射された光のうち、リフレクタ４の反射面４ａ，４ｂを介してアウターレンズ５（図１参照）に到達する光を示しており、図５（Ｂ）は光源２ａ，２ｂ，２ｃ，２ｄ，２ｅから放射された光のうち、リフレクタ４の反射面４ａ，４ｂを介することなくアウターレンズ５（図１参照）に到達する光を示している。
【００２９】
また、詳細には、図６は鉛直面内における光源２ａから放射された光の光路を示した図である。更に詳細には、図６（Ａ）は光源２ａから放射された光のうち、リフレクタ４の反射面４ａを介してアウターレンズ５に到達する光を示しており、図６（Ｂ）は光源２ａから放射された光のうち、リフレクタ４の反射面４ａを介することなくアウターレンズ５に到達する光を示している。
【００３０】
更に、詳細には、図７は鉛直面内における光源２ｂから放射された光の光路を示した図である。更に詳細には、図７（Ａ）は光源２ｂから放射された光のうち、リフレクタ４の反射面４ｂを介してアウターレンズ５に到達する光を示しており、図７（Ｂ）は光源２ｂから放射された光のうち、リフレクタ４の反射面４ｂを介することなくアウターレンズ５に到達する光を示している。
【００３１】
本発明に関連する発明の灯具では、図２に示すように、光源２ａ，２ｃ，２ｅが、リフレクタ４の左側の反射面４ａの凸状部分に対向する位置ではなく、リフレクタ４の左側の反射面４ａの凹状部分４ａ１，４ａ２，４ａ３に対向する位置に配置されているため、図５（Ａ）に示すように、光源２ａ，２ｃ，２ｅから放射された光を概略平行な光に集光させることができる。
【００３２】
更に、本発明に関連する発明の灯具では、図２に示すように、光源２ｂ，２ｄが、リフレクタ４の右側の反射面４ｂの凸状部分に対向する位置（図２に「２ｂ’」，「２ｄ’」で示す位置）ではなく、リフレクタ４の右側の反射面４ｂの凹状部分４ｂ１，４ｂ２に対向する位置に配置されているため、図５（Ａ）に示すように、光源２ｂ，２ｄから放射された光を概略平行な光に集光させることができる。
【００３３】
つまり、本発明に関連する発明の灯具によれば、図２および図５（Ａ）に示すように、リフレクタ４の肉厚をほぼ均一に維持しつつ、光源２ａ，２ｃ，２ｅから放射された光および光源２ｂ，２ｄから放射された光の両方を集光させて配光制御することができる。
【００３４】
更に、本発明に関連する発明の灯具では、図１の右側から本発明に関連する発明の灯具を見た場合に、アウターレンズ５の全面がほぼ均一に光って見えるように、また、図１の左側から本発明に関連する発明の灯具を見た場合に、アウターレンズ５の全面がほぼ均一に光って見えるように、微細なレンズカット５ａ（図３および図４参照）がアウターレンズ５の内側表面に形成されている。
【００３５】
以下、本発明の灯具の第１の実施形態について説明する。第１の実施形態の灯具は、後述する点を除き、上述した本発明に関連する発明の灯具とほぼ同様に構成されている。従って、第１の実施形態の灯具によれば、後述する点を除き、上述した本発明に関連する発明の灯具とほぼ同様の効果を奏することができる。
【００３６】
図８は第１の実施形態の灯具の平面図である。詳細には、図８は、図２と同様に、アウターレンズ５を透視して見た図である。図９は図８のＣ−Ｃ断面図である。
【００３７】
本発明に関連する発明の灯具では、図２および図４に示すように、光源２ｂ，２ｄがインナーレンズによって覆われていないのに対し、第１の実施形態の灯具では、図８および図９に示すように、光源２ｂがインナーレンズ６ｂによって覆われ、光源２ｄがインナーレンズ６ｄによって覆われている。
【００３８】
図１０はインナーレンズ６ｂを通過せしめられる光源２ｂからの光の光路を示した図である。第１の実施形態の灯具では、図１０に示すように、光源２ｂからアウターレンズ５（図９参照）の側（図１０の右側）に放射された光をリフレクタ４（図９参照）の側（図１０の左側）に戻すための反射面６ｂ１と、光源２ｂからリフレクタ４の側（図１０の左側）に放射された光をアウターレンズ５の側（図１０の右側）に戻すための反射面６ｂ２とが、インナーレンズ６ｂに形成されている。
【００３９】
図示しないが、同様に、光源２ｄからアウターレンズ５の側（図８の右側）に放射された光をリフレクタ４の側（図８の左側）に戻すための反射面と、光源２ｄからリフレクタ４の側（図８の左側）に放射された光をアウターレンズ５の側（図８の右側）に戻すための反射面とが、インナーレンズ６ｄに形成されている。
【００４０】
図１１は光源２ｂ，２ｄの点灯時における第１の実施形態の灯具の斜視図である。
【００４１】
本発明に関連する発明の灯具では、図１に示すように、光源２ｂ，２ｄの点灯時にアウターレンズ５の全面がほぼ均一に光って見えるのに対し、第１の実施形態の灯具では、図１１に示すように、光源２ｂ，２ｄの点灯時にインナーレンズ６ｂの像６ｂ’およびインナーレンズ６ｄの像６ｄ’が強調されて光って見えるように、インナーレンズ６ｂ，６ｄによって配光制御が行われている。
【００４２】
詳細には、第１の実施形態の灯具では、光源２ｂ，２ｄの消灯時に、アウターレンズ５の微細なレンズカット５ａによって、アウターレンズ５の外側からインナーレンズ６ｂ，６ｄの形状が認識できないようになっている。一方、光源２ｂ，２ｄの点灯時には、図１０に示すように、光源２ｂ，２ｄから放射された光が、インナーレンズ６ｂ，６ｄの反射面６ｂ１，６ｂ２によって反射せしめられるか、あるいは、インナーレンズ６ｂ，６ｄを透過せしめられ、それにより、図１１に示すように、アウターレンズ５の外側からインナーレンズ６ｂ，６ｄの像６ｂ’，６ｄ’が認識できるようになっている。
【００４３】
そのため、第１の実施形態の灯具によれば、光源２ｂ，２ｄの消灯時と点灯時とで見栄えを異ならせることができる。詳細には、インナーレンズ６ｂ，６ｄが設けられていない本発明に関連する発明の灯具よりも、光源２ｂ，２ｄからの光を強調し、造形的な見栄えを演出することができる。
【００４４】
また、第１の実施形態の灯具では、図１１に示すように、光源２ｂ，２ｄの点灯時に、アウターレンズ５の全面のうち、インナーレンズ６ｂ，６ｄの像６ｂ’，６ｄ’以外の部分が、リフレクタ４の反射面４ｂからの光によって、ほぼ均一に光って見える。
【００４５】
第２の実施形態では、上述した本発明に関連する発明、本発明に関連する他の発明、および、第１の実施形態を適宜組合わせることも可能である。
【産業上の利用可能性】
【００４６】
本発明の灯具は、例えば遊技機用照明、一般照明等に適用可能である。
【図面の簡単な説明】
【００４７】
【図１】本発明に関連する発明の灯具の斜視図である。
【図２】図１に示した灯具の平面図である。
【図３】図２のＡ−Ａ断面図である。
【図４】図２のＢ−Ｂ断面図である。
【図５】光源２ａ，２ｂ，２ｃ，２ｄ，２ｅから放射された光の光路を示した図である。
【図６】光源２ａ，２ｂ，２ｃ，２ｄ，２ｅから放射された光の光路を示した図である。
【図７】光源２ａ，２ｂ，２ｃ，２ｄ，２ｅから放射された光の光路を示した図である。
【図８】第１の実施形態の灯具の平面図である。
【図９】図８のＣ−Ｃ断面図である。
【図１０】インナーレンズ６ｂを通過せしめられる光源２ｂからの光の光路を示した図である。
【図１１】光源２ｂ，２ｄの点灯時における第１の実施形態の灯具の斜視図である。
【符号の説明】
【００４８】
１                            基板
２ａ，２ｂ，２ｃ，２ｄ，２ｅ  光源
３                            エクステンション
３ａ，３ｂ，３ｃ，３ｄ，３ｅ  穴
４                            リフレクタ
４ａ，４ｂ                    反射面
４ａ１，４ａ２，４ａ３        凹状部分
４ｂ１，４ｂ２                凹状部分
５                            アウターレンズ
５ａ                          レンズカット
６ｂ，６ｄ                    インナーレンズ
【図１】
0004761971.tif 000002
【図２】
0004761971.tif 000003
【図３】
0004761971.tif 000004
【図４】
0004761971.tif 000005
【図５】
0004761971.tif 000006
【図６】
0004761971.tif 000007
【図７】
0004761971.tif 000008
【図８】
0004761971.tif 000009
【図９】
0004761971.tif 000010
【図１０】
0004761971.tif 000011
【図１１】
0004761971.tif 000012